(57)【要約】【課題】落雷があった鉄塔を１心の光ファイバを用いて遠隔から特定することができる落雷箇所遠隔測定システムおよび落雷箇所遠隔測定方法を提供する。【解決手段】落雷箇所遠隔測定システムは、光パルスを光ファイバ複合架空地線２の光ファイバ心線２1に入射して落雷があった鉄塔を特定するものである。たとえば、第４の鉄塔１4に設置された第４の落雷表示器８０4が第４の鉄塔１4への落雷を検出したときに、第１の光ファイバ心線２1に接続された第４の光コード６８4に第４の錘６９4がぶら下がるようにして、第４の落雷表示器８０4によって第４の光コード６８4を鋭角に曲げさせる。そして、第４の光コード６８4が鋭角に曲げられたことを光パルス測定器で検出して、落雷があった第４の鉄塔１4を特定する。【選択図】図４
2008096386.tif 000002
【特許請求の範囲】
【請求項１】
光パルス測定器（２０1）から光パルスを光ファイバ複合架空地線（２）の光ファイバ心線（２1）に入射して落雷があった鉄塔（１1〜１7）を特定する落雷箇所遠隔測定システムであって、
前記鉄塔に設置された落雷表示器（８０1〜８０7）が該鉄塔への落雷を検出したときに、前記光ファイバ心線と接続された光コード（６８1〜６８7）を該落雷表示器によって鋭角に曲げさせる光コード曲げ手段を具備し、
前記光コード曲げ手段によって前記光コードが鋭角に曲げられたことを前記光パルス測定器で検出して、落雷があった鉄塔を特定する、
ことを特徴とする、落雷箇所遠隔測定システム。
【請求項２】
前記光ファイバ心線が、前記鉄塔に設置された光接続箱（５０1〜５０7）において切断され、
光ファイバ引出線（３1〜３7）を構成する一対の心線（４1〜４7）の一端が前記光ファイバ心線の切断部とそれぞれ接続されているとともに、該一対の心線の他端が光コネクタ（６７1〜６７7）に接続されており、
前記光コードの両端が、前記光コネクタを介して前記一対の心線の他端にそれぞれ接続されている、
ことを特徴とする、請求項１記載の落雷箇所遠隔測定システム。
【請求項３】
前記落雷表示器が、雷撃により前記鉄塔に雷撃電流が流れると開いて落下する蓋（８１1〜８１7）を備えることを特徴とする、請求項１または２記載の落雷箇所遠隔測定システム。
【請求項４】
前記光コード曲げ手段が、
前記光コードが通される貫通孔（６９ａ1〜６９ａ7；６９ａ1’〜６９ａ7’）が形成された錘（６９1〜６９7；６９1’〜６９7’）と、
該錘の重量のみでは閉じたままであるが該錘に下向きの力が加えられると下方に開放するストッパ（６５1〜６５7）と、
両端が前記落雷表示器の前記蓋と前記錘とにそれぞれ取り付けられた吊紐（７０1〜７０7）とを備え、
前記落雷表示器の前記蓋が雷撃により落下すると、前記錘に下向きの力が加えられて前記ストッパが下方に開放することにより該錘が落下して、該錘が前記光コードにぶら下がって、該光コードが鋭角に曲げられる、
ことを特徴とする、請求項１乃至３いずれかに記載の落雷箇所遠隔測定システム。
【請求項５】
前記錘（６９1’〜６９7’）を前記貫通孔（６９ａ1’〜６９ａ7’）の長さ方向に沿って切ったときの該長さ方向に対して垂直な方向から見た該貫通孔の断面形状が、凹状であることを特徴とする、請求項１乃至４いずれかに記載の落雷箇所遠隔測定システム。
【請求項６】
前記光パルス測定器が、平常時の前記光パルスの後方散乱光と落雷時の前記光パルスの後方散乱光とに基づいて落雷があった鉄塔を特定することを特徴とする、請求項１乃至５いずれかに記載の落雷箇所遠隔測定システム。
【請求項７】
光パルスを光ファイバ複合架空地線（２）の光ファイバ心線（２1）に入射して落雷があった鉄塔（１1〜１7）を特定する落雷箇所遠隔測定方法であって、
前記鉄塔において光ファイバ引出線（３1〜３7）を介して前記光ファイバ心線を光コード（６８1〜６８7）に接続しておき、
前記鉄塔に設置された落雷表示器（８０1〜８０7）が該鉄塔への落雷を検出したときに、該落雷表示器によって前記光コードを鋭角に曲げ、
平常時の前記光パルスの後方散乱光の受光レベルと落雷時の前記光パルスの後方散乱光の受光レベルとを比較して落雷があった鉄塔を特定する、
ことを特徴とする、落雷箇所遠隔測定方法。
【請求項８】
前記落雷表示器に、雷撃により前記鉄塔に雷撃電流が流れると開いて落下する蓋（８１1〜８１7）を設けておき、
前記光コードが通される貫通孔（６９ａ1〜６９ａ7；６９ａ1’〜６９ａ7’）が形成された錘（６９1〜６９7；６９1’〜６９7’）を、該錘の重量のみでは閉じたままであるが該錘に下向きの力が加えられると下方に開放するストッパ（６５1〜６５7）によって支持しておき、
前記落雷表示器の前記蓋と前記錘とを吊紐（７０1〜７０7）で繋いでおき、
前記落雷表示器の前記蓋が雷撃により落下すると、該蓋の重さにより前記ストッパを下方に開放させて前記錘を落下させ、該錘を前記光コードにぶら下がらせて該光コードを鋭角に曲げる、
ことを特徴とする、請求項７記載の落雷箇所遠隔測定方法。
【発明の詳細な説明】
【技術分野】
【０００１】
本発明は、落雷箇所遠隔測定システムおよび落雷箇所遠隔測定方法に関し、特に、落雷があった鉄塔を特定するのに好適な落雷箇所遠隔測定システムおよび落雷箇所遠隔測定方法に関する。
【背景技術】
【０００２】
落雷による雷撃を受けた鉄塔（送電線用鉄塔）の特定は、複数の鉄塔に落雷表示器を設置しておき、雷撃による停電が発生した場合に保守員が巡視して落雷現場付近の複数の落雷表示器を目で確認することにより行われている。
【０００３】
また、下記の特許文献１に開示されている雷撃位置標定方法のように、鉄塔の頂上間に配設された避雷機能および光通信機能を備える光ファイバ複合架空地線（ＯＰＧＷ：Composite Fiber-Optic Ground Wire）を利用して長距離監視によって雷撃位置を標定することも行われている。
この雷撃位置標定方法では、光ファイバの一方端からレーザ光を入力して、光パルス測定器（ＯＴＤＲ：Optical Time Domain Reflectometer）によって光ファイバ上での光ファイバの融着位置を求め、光ファイバ上でのプロファイルデータを作成する。そして、電気所側に設けられたレーザ光源からレーザ光を光ファイバ複合架空地線内の往路側光ファイバに入射し、遅延用光ファイバおよび復路側光ファイバを経由した光を受信する。送電線の途中で雷撃があると、光ファイバは偏波変動を受ける。この偏波変動の時間差から光ファイバ上での雷撃位置を標定し、この結果とＯＴＤＲにより得たプロファイルデータから雷撃位置と光ファイバの融着位置とを融着位置を有する鉄塔区間毎に対応付けて、実際の送電線上における雷撃位置を標定する。
【０００４】
なお、下記の特許文献２には、送電線の異常が発生した場所を正確に知ることのできるようにした監視装置が開示されている。この監視装置では、送電線に所定間隔をおいてサージ電流を検出するセンサを取り付けて、伝送速度の異なる一対の光ファイバを用いて各センサからの出力を監視センタに伝送する。監視センタでは、一対の光ファイバの一方から入力される光パルス列と他方から入力される光パルス列とのずれに基づいて、事故の生じた地点を特定する。
【特許文献１】特開２００２−２１４２７７号公報
【特許文献２】特開平１０−３１０４７号公報
【発明の開示】
【発明が解決しようとする課題】
【０００５】
しかしながら、落雷表示器を設置して落雷があった鉄塔を特定する方法では、保守員が落雷現場付近の複数の落雷表示器を目で確認するために、落雷があった鉄塔を特定するのに時間を要するという問題がある。
また、上記特許文献１に開示されている雷撃位置標定方法では、雷撃位置を標定するのに光ファイバを２心以上使用する必要があるという問題がある。
さらに、上記特許文献２に開示されている監視装置を用いて落雷があった鉄塔を特定することもできるが、光ファイバを２心以上使用する必要があるほか、サージ電流検出用のセンサを新たに送電線に設置しなければならないという問題がある。
【０００６】
本発明の目的は、落雷があった鉄塔を１心の光ファイバを用いて遠隔から特定することができる落雷箇所遠隔測定システムおよび落雷箇所遠隔測定方法を提供することにある。
【課題を解決するための手段】
【０００７】
本発明の落雷箇所遠隔測定システムは、光パルス測定器（２０1）から光パルスを光ファイバ複合架空地線（２）の光ファイバ心線（２1）に入射して落雷があった鉄塔（１1〜１7）を特定する落雷箇所遠隔測定システムであって、前記鉄塔に設置された落雷表示器（８０1〜８０7）が該鉄塔への落雷を検出したときに、前記光ファイバ心線と接続された光コード（６８1〜６８7）を該落雷表示器によって鋭角に曲げさせる光コード曲げ手段を具備し、前記光コード曲げ手段によって前記光コードが鋭角に曲げられたことを前記光パルス測定器で検出して、落雷があった鉄塔を特定することを特徴とする。
ここで、前記光ファイバ心線が、前記鉄塔に設置された光接続箱（５０1〜５０7）において切断され、光ファイバ引出線（３1〜３7）を構成する一対の心線（４1〜４7）の一端が前記光ファイバ心線の切断部とそれぞれ接続されているとともに、該一対の心線の他端が光コネクタ（６７1〜６７7）に接続されており、前記光コードの両端が、前記光コネクタを介して前記一対の心線の他端にそれぞれ接続されていてもよい。
前記落雷表示器が、雷撃により前記鉄塔に雷撃電流が流れると開いて落下する蓋（８１1〜８１7）を備えていてもよい。
前記光コード曲げ手段が、前記光コードが通される貫通孔（６９ａ1〜６９ａ7；６９ａ1’〜６９ａ7’）が形成された錘（６９1〜６９7；６９1’〜６９7’）と、該錘の重量のみでは閉じたままであるが該錘に下向きの力が加えられると下方に開放するストッパ（６５1〜６５7）と、両端が前記落雷表示器の前記蓋と前記錘とにそれぞれ取り付けられた吊紐（７０1〜７０7）とを備え、前記落雷表示器の前記蓋が雷撃により落下すると、前記錘に下向きの力が加えられて前記ストッパが下方に開放することにより該錘が落下して、該錘が前記光コードにぶら下がって、該光コードが鋭角に曲げられてもよい。
前記錘（６９1’〜６９7’）を前記貫通孔（６９ａ1’〜６９ａ7’）の長さ方向に沿って切ったときの該長さ方向に対して垂直な方向から見た該貫通孔の断面形状が、凹状であってもよい。
前記光パルス測定器が、平常時の前記光パルスの後方散乱光と落雷時の前記光パルスの後方散乱光とに基づいて落雷があった鉄塔を特定してもよい。
【０００８】
本発明の落雷箇所遠隔測定方法は、光パルスを光ファイバ複合架空地線（２）の光ファイバ心線（２1）に入射して落雷があった鉄塔（１1〜１7）を特定する落雷箇所遠隔測定方法であって、前記鉄塔において光ファイバ引出線（３1〜３7）を介して前記光ファイバ心線を光コード（６８1〜６８7）に接続しておき、前記鉄塔に設置された落雷表示器（８０1〜８０7）が該鉄塔への落雷を検出したときに、該落雷表示器によって前記光コードを鋭角に曲げ、平常時の前記光パルスの後方散乱光の受光レベルと落雷時の前記光パルスの後方散乱光の受光レベルとを比較して落雷があった鉄塔を特定することを特徴とする。
前記落雷表示器に、雷撃により前記鉄塔に雷撃電流が流れると開いて落下する蓋（８１1〜８１7）を設けておき、前記光コードが通される貫通孔（６９ａ1〜６９ａ7；６９ａ1’〜６９ａ7’）が形成された錘（６９1〜６９7；６９1’〜６９7’）を、該錘の重量のみでは閉じたままであるが該錘に下向きの力が加えられると下方に開放するストッパ（６５1〜６５7）によって支持しておき、前記落雷表示器の前記蓋と前記錘とを吊紐（７０1〜７０7）で繋いでおき、前記落雷表示器の前記蓋が雷撃により落下すると、該蓋の重さにより前記ストッパを下方に開放させて前記錘を落下させ、該錘を前記光コードにぶら下がらせて該光コードを鋭角に曲げてもよい。
【発明の効果】
【０００９】
本発明の落雷箇所遠隔測定システムおよび落雷箇所遠隔測定方法は、以下に示す効果を奏する。
（１）たとえば１心の光ファイバ（光ファイバ心線）に入射した光パルスの平常時の後方散乱光と落雷時の後方散乱光とに基づいて落雷があった鉄塔を特定するので、使用する光ファイバは１心で済む。
（２）落雷があった鉄塔を正確に特定することができるので、保守員による巡視業務の効率化を図ることができる。
【発明を実施するための最良の形態】
【００１０】
上記の目的を、光パルス測定器から光パルスを光ファイバ複合架空地線の光ファイバ心線に入射し、鉄塔に設置された落雷表示器が鉄塔への落雷を検出したときに、光ファイバ心線に接続された光コードが落雷表示器によって鋭角に曲げられたことを光パルス測定器で検出して、落雷があった鉄塔を特定することにより実現した。
【実施例１】
【００１１】
以下、本発明の落雷箇所遠隔測定システムおよび落雷箇所遠隔測定方法の実施例について、図面を参照して説明する。
本発明の一実施例による落雷箇所遠隔測定システムは、図１に示すように、第１および第２の保守箇所にそれぞれ設置された第１および第２の光パルス測定器（ＯＴＤＲ）２０1，２０2と、第１乃至第７の鉄塔１1〜１7にそれぞれ設置された第１乃至第７の測定装置１０1〜１０7と、第１乃至第７の鉄塔１1〜１7の頂上間に敷設された光ファイバ複合架空地線（ＯＰＧＷ）２とを具備する。
【００１２】
光ファイバ複合架空地線２は、第１および第２の光ファイバ心線２1，２2（図２参照）の周囲にアルミ被覆鋼線を同心円に各層交互反対に撚り合わせたものであり、アルミ管内に収容されている。
光ファイバ複合架空地線２の第１の光ファイバ心線２1は、第１乃至第７の鉄塔１1〜１7にそれぞれ設置されている第１乃至第７のＯＰＧＷ光接続箱５０1〜５０7において、後述する第１乃至第７の光ファイバ引出線３1〜３7と接続されている（図２参照）。すなわち、第１の光ファイバ心線２1は、ＯＰＧＷ光接続箱５０1〜５０7において切断されて、その切断部が、第１乃至第７の光ファイバ引出線３1〜３7を構成する一対の第１乃至第７の心線４1〜４7の一端とそれぞれ接続されている。
【００１３】
第１および第２の光パルス測定器２０1，２０2は、光ファイバ心線にペンディング（屈曲）が生じると後方散乱光が減衰することを利用して、一方向からの測定により光ファイバ心線中の異なる箇所から後方散乱する光パワーを光ファイバ心線全長にわたって測定するものである。
本実施例による落雷箇所遠隔測定システムでは、第１の保守箇所に設置された第１の光パルス測定器２０1から光パルスを光ファイバ複合架空地線２の第１の光ファイバ心線２1に入射し、その後方散乱光を第１の光パルス測定器２０1で受信して、受信した後方散乱光に基づいて落雷があった鉄塔を特定する。
なお、同時に、第２の保守箇所に設置された第２の光パルス測定器２０2から光パルスを光ファイバ複合架空地線２の第２の光ファイバ心線２2に入射し、その後方散乱光を第２の光パルス測定器２０2で受信して、受信した後方散乱光に基づいて第２の保守箇所でも落雷があった鉄塔を特定するようにしてもよい。
【００１４】
第１乃至第７の測定装置１０1〜１０7は、光ファイバ複合架空地線２の第１の光ファイバ心線２1（１心の光ファイバ）に接続された第１乃至第７の光コード６８1〜６８7を第１乃至第７の落雷表示器８０1〜８０7によって鋭角に曲げさせるためのものである。
第１の測定装置１０1の構成について図２を参照して以下に説明するが、第２乃至第７の測定装置１０2〜１０7は第１の測定装置１０1と同じ構成のものである。
【００１５】
第１の測定装置１０1は、図２に示すように、直方体形状の第１の心線収容箱６０1と、第１の心線収容箱６０1内に取り付けられた第１の光コネクタ６７1と、１本の第１の光コード６８1と、第１の錘６９1と、１本の第１の吊紐７０1と、第１の落雷表示器８０1とを備える。
【００１６】
第１の心線収容箱６０1は、その底面に形成された第１の引出線導入孔６１1および第１の吊紐引出孔６２1と、その内部に底面と平行に取り付けられた第１の仕切板６３1と、その内部に取り付けられた複数個の第１のガイド６６1とを備える。
第１の仕切板６３1には、第１の引出線通し孔６４1が第１の引出線導入孔６１1の真上に形成されている。また、仕切板６３1には、第１の錘６９1の重量のみでは閉じたままであるが第１の錘６９1に下向きの力が加えられると下方に開放する第１のストッパ６５1が、第１の吊紐引出孔６２1の真上に設けられている。
【００１７】
第１の錘６９1は、図３（ａ），（ｂ）に示すように、楕円球の形状を有し、長径方向が垂直方向となるように第１のストッパ６５1によって支持される。また、第１の錘６９1が第１のストッパ６５1によって支持されているときに上側となる第１の錘６９1の部分には、開口面が円形でかつ直線状の第１の貫通孔６９ａ1が第１の錘６９1の短径方向に沿って形成されている。
【００１８】
第１の光ファイバ引出線３1（一対の第１の心線４1を外皮で被覆したもの）は、第１の引出線導入孔６１1を通されて心線収容箱６０1内に導入され、複数個の第１のガイド６６1に案内されて第１の光コネクタ６７1まで敷設されている。また、第１の光ファイバ引出線３1を構成する一対の第１の心線４1の他端側は、第１の光コネクタ６７1に接続されている。
【００１９】
第１の光コード６８1は、その両端が第１の光コネクタ６７1に接続されることにより、第１の光コネクタ６７1を介して一対の第１の心線４1と接続されている。また、第１の光コード６８1は、図３（ｃ）に示すように、第１の錘６９1の第１の貫通孔６９ａ1を通されている。
すなわち、第１の光コード６８1は、たとえば、第１の錘６９1の第１の貫通孔６９ａ1を通され、１８０°折り曲げられたのち、その両端が第１の光コネクタ６７1に接続される。そのため、第１の光コード６８1の中央部分が鋭角で折り曲げられると、第１の光コード６８1の内部を進む光パルスがこの折曲げ部分で減衰してしまう。
そこで、第１の錘６９1が第１のストッパ６５1によって支持されているときには光パルスが第１の光コード６８1の折曲げ部分で減衰することがないように、第１の貫通孔６９ａ1は、第１の錘６９1が第１のストッパ６５1によって支持されているときにはその長さ方向（第１の錘６９1の短径方向）が第１の仕切板６３1と平行になるように形成されており、また、第１の光コード６８1は、図３（ｃ）に示すように、その中央部分が第１の仕切板６３1と平行になるように第１の錘６９1の第１の貫通孔６９ａ1を通されたのちに光パルスが減衰されることのない曲率で１８０°折り曲げることができるだけの十分な長さとされている。
【００２０】
また、第１の光コード６８1の長さは、第１の錘６９1が第１のストッパ６５1から外されて落下しても第１の心線収容箱６０1の底面に付かないように、第１の光コネクタ６７1と第１の心線収容箱６０1の底面との間の距離の２倍よりも短くされている（図４参照）。
【００２１】
第１の吊紐７０1は、第１の錘６９1と第１の落雷表示器８０1とを繋ぐためのものである。すなわち、第１の吊紐７０1は、第１の心線収容箱６０1の底面に形成された第１の吊紐引出孔６２1を通されて、その一端が第１の錘６９1に取り付けられるとともにその他端が第１の落雷表示器８０1の蓋８１1に取り付けられている。
【００２２】
第１の落雷表示器８０1は、第１の蓋８１1と、第１のコイル部８２1と、両端が第１の蓋８１1および第１のコイル部８２1にそれぞれ取り付けられた第１の表示布８３1（図４の第４の表示布８３4参照）とを備える。
第１の落雷表示器８０1は、たとえば日油技研工業株式会社製の閃絡表示器（登録商標）Ｋ型のように、雷撃により第１の鉄塔１1に雷撃電流が流れると第１の鉄塔１1の塔脚の周囲に磁束が発生することを利用して、この磁束により第１のコイル部８２1に誘起される電流によって発火部を点火して、そのガス圧によって第１の蓋８１1を開いて落下させることにより、第１の表示布８３1を外部に放出して落雷地点を表示させるものである。
【００２３】
次に、本実施例による落雷箇所遠隔測定システムを用いた落雷箇所遠隔測定方法（本発明の落雷箇所遠隔測定方法の一実施例）について、図１に示すように第４の鉄塔１０4に落雷があった場合を例として、図４および図５を参照して説明する。
【００２４】
平常時には、第１乃至第７の測定装置１０1〜１０7の第１乃至第７の錘６８1〜６９7は、第１乃至第７のストッパ６５1〜６５７によってそれぞれ支持されている（図２参照）。したがって、第１乃至第７の光コード６８1〜６８7は、これらの中を進む光パルスが減衰する角度で折り曲げられることなく第１乃至第７の心線収容箱６０1〜６０7内にそれぞれ収容されている。そのため、第１の光パルス測定器２０1から第１の光ファイバ心線２1に入射された光パルスは伝搬ロスを除いては減衰されることはない。
第１の光パルス測定器２０1には、平常時に第１の光ファイバ心線２1内を戻ってくる後方散乱光の受光レベル分布（距離ごとの受光レベル）を示すデータ（以下、「平常時後方散乱光受光レベル分布データ」と称する。）が記憶されている。
【００２５】
第４の鉄塔１０4に落雷があってその雷撃により第４の鉄塔１4に雷撃電流が流れると、第４の鉄塔１4の塔脚の周囲に磁束が発生し、この磁束により第４の落雷表示器８０4のコイル部８２4に電流が誘起される。これにより、第４の落雷表示器８０4の発火部が点火されて、そのガス圧によって第４の落雷表示器８０4の第４の蓋８１4が開いて落下するとともに、第４の落雷表示器８０4の第４の表示布８３4が外部に放出される。
第４の落雷表示器８０4の第４の蓋８１4が落下すると、第４の蓋８１4と第４の吊紐７０4で繋がれた第４の錘６９4に下向きの力が加わるため、第４のストッパ６５4が下方に開放する。
これにより、第４の錘６９4が落下して、第４の光コード６８4が第４の錘６９4によって下方に引っ張られる。第４の光コード６８4の長さは第４の光コネクタ６７4と第４の心線収容箱６０4の底面との間の距離の２倍よりも短いため、第４の錘６９4は、図４に示すように、第４の心線収容箱６０4内で第４の光コード６８4にぶら下がった状態となる。
【００２６】
その結果、第４の光コード６８4の先端部分は、図５に示すように、尖った状態（鋭角で曲げられた状態）となる。これにより、第４の光コード６８4内を進む光パルスの一部が第４の光コード６８4のコア外へ散乱して減衰することに伴って、後方散乱光も減衰する。
したがって、第１の光パルス測定器２０1によってこのときの後方散乱光の受光レベル分布を求めると、得られる後方散乱光の受光レベル分布のデータ（以下、「落雷時後方散乱光受光レベル分布データ」と称する。）は平常時後方散乱光受光レベル分布データと異なったものとなる。
【００２７】
そこで、落雷時後方散乱光受光レベル分布データと平常時後方散乱光受光レベル分布データと比較して、後方散乱光の受光レベルが低下した距離を求めることにより、落雷箇所として第４の鉄塔１4を特定する。
また、保守員は、落雷箇所として特定された第４の鉄塔１4に行って、第４の落雷表示器８０4の第４の表示布８３4が放出されていることを目で確認することにより、第４の鉄塔１4に落雷があったことを直ぐに確認することができる。
【００２８】
以上の説明では、開口面が円形でかつ直線状の第１乃至第７の貫通孔６９ａ1〜６９ａ7が形成された第１乃至第７の錘６９1〜６９7を用いたが、図６（ａ）に示すような第１乃至第７の貫通孔６９ａ1’〜６９ａ7’ がそれぞれ形成された第１乃至第７の錘６９1’〜６９7’を用いてもよい。すなわち、第１乃至第７の錘６９1’〜６９7’を第１乃至第７の貫通孔６９ａ1’〜６９ａ7’の長さ方向に沿って切ったときのこの長さ方向に対して垂直な方向から見た第１乃至第７の貫通孔６９ａ1’〜６９ａ7’の断面形状が、凹状であってもよい。これにより、第１乃至第７の錘６９1’〜６９7’が第１乃至第７の光コード６８1〜６８4にぶら下がった状態となったときに、図６（ｂ）に示すように、第１乃至第７の光コード６８1〜６８4の先端部分をより尖った状態とすることができるため、落雷時の後方散乱光の減衰をより大きくすることができる。その結果、落雷時の後方散乱光の受光レベル分布と平常時の後方散乱光の受光レベル分布との相違をより大きくして、落雷があった鉄塔の特定精度を向上させることができる。
【図面の簡単な説明】
【００２９】
【図１】本発明の一実施例による落雷箇所遠隔測定システムの構成を示す図である。
【図２】図１に示した第１の測定装置１０1の構成を示す図である。
【図３】図２に示した第１の錘６９1に形成された第１の貫通孔６９ａ1の形状について説明するための図である。
【図４】図１に示した落雷箇所遠隔測定システムを用いた落雷箇所遠隔測定方法について説明するための図である。
【図５】第４の錘６９4が第４の心線収容箱６０4内で第４の光コード６８4にぶら下がった状態となって止まったときに第４の光コード６８4の先端部分が尖った状態となることを説明するための図である。
【図６】図３に示した形状と異なる形状を有する第１乃至第７の貫通孔６９ａ1’〜６９ａ7’が形成された第１乃至第７の錘６９1’〜６９7’について説明するための図である。
【符号の説明】
【００３０】
１1〜１7  第１乃至第７の鉄塔
２  光ファイバ複合架空地線（ＯＰＧＷ）
２1，２2  第１および第２の光ファイバ心線
３1〜３7  第１乃至第７の光ファイバ引出線
４1〜４7  第１乃至第７の心線
１０1〜１０7  第１乃至第７の測定装置
２０1，２０2  第１および第２の光パルス測定器（ＯＴＤＲ）
５０1〜５０7  第１乃至第７のＯＰＧＷ光接続箱
６０1〜６０7  第１乃至第７の心線収容箱
６１1〜６１7  第１乃至第７の引出線導入孔
６２1〜６２7  第１乃至第７の吊紐引出孔
６３1〜６３7  第１乃至第７の仕切板
６４1〜６４7  第１乃至第７の引出線通し孔
６５1〜６５7  第１乃至第７のストッパ
６６1〜６６7  第１乃至第７のガイド
６７1〜６７7  第１乃至第７の光コネクタ
６８1〜６８7  第１乃至第７の光コード
６９1〜６９7，６９1’〜６９7’  第１乃至第７の錘
６９ａ1〜６９ａ7，６９ａ1’〜６９ａ7’  第１乃至第７の貫通孔
７０1〜７０7  第１乃至第７の吊紐
８０1〜８０7  第１乃至第７の落雷表示器
８１1〜８１7  第１乃至第７の蓋
８２1〜８２7  第１乃至第７のコイル部
８３1〜８３7  第１乃至第７の表示布
【図１】
2008096386.tif 000003
【図２】
2008096386.tif 000004
【図３】
2008096386.tif 000005
【図４】
2008096386.tif 000006
【図５】
2008096386.tif 000007
【図６】
2008096386.tif 000008